(57)【要約】【課題】保管場所に対する出し入れを適切に行うことができながら、保管場所における保管効率の向上を図ることができる収納容器を実現する。【解決手段】収納容器４は、参拝対象物２の収容空間Ｓを形成する箱状の本体部１０と、複数の側壁部１１の１つである対象壁部１１ａに設けられ、参拝対象物２に関係のある情報が記された板状体３を着脱自在に保持する保持部２０と、を備える。保持部２０は、板状体３の第一水平方向Ｈ１の両側の端部を保持する第一部分２１と、板状体３を下方から支持する第二部分２２と、を備える。第二部分２２が、対象壁部１１ａの外面１９から第二水平方向Ｈ２に延びるように形成されて板状体３の下面を下方から支持する支持部分２２ａと、対象壁部１１ａの外面１９との間に隙間Ｇを形成するように支持部分２２ａから下方に突出する突出部分２２ｂと、を備える。【選択図】図５
2018075304.tif 000002
【特許請求の範囲】
【請求項１】
参拝対象物を収納するための収納容器であって、
前記参拝対象物の収容空間を形成する箱状の本体部と、前記本体部が備える複数の側壁部の１つである対象壁部に設けられ、前記参拝対象物に関係のある情報が記された板状体を着脱自在に保持する保持部と、を備え、
前記対象壁部の外面に沿う水平方向を第一水平方向とし、前記対象壁部の外面に直交する水平方向を第二水平方向として、前記保持部は、前記板状体の前記第一水平方向の両側の端部を保持する第一部分と、前記板状体を下方から支持する第二部分と、を備え、
前記第二部分が、前記対象壁部の外面から前記第二水平方向に延びるように形成されて前記板状体の下面を下方から支持する支持部分と、前記対象壁部の外面との間に隙間を形成するように前記支持部分から下方に突出する突出部分と、を備えている収納容器。
【請求項２】
前記保持部が、前記本体部が備える複数の側壁部のうちの、前記収容空間を挟んで対向する一対の側壁部の双方に設けられている請求項１に記載の収納容器。
【請求項３】
前記第一部分の下端部は、前記対象壁部の下端部よりも上側に配置され、
前記第二部分の前記第一水平方向の両端部は、前記対象壁部の前記第一水平方向の両端部よりも内側に配置され、
前記対象壁部の外面における前記第二部分よりも前記第一水平方向の両側であって前記第一部分よりも下側の部分に、前記本体部を下方から支持する容器支持場所に設けられて前記収納容器の前記第二水平方向の移動を規制する規制体が当接する当接面が形成されている請求項１又は２に記載の収納容器。
【請求項４】
請求項３に記載の収納容器と、前記本体部を下方から支持した状態で前記収納容器を前記第二水平方向に搬送する搬送装置と、を備え、
前記容器支持場所は、前記搬送装置による前記収納容器の搬送経路中に設定され、
前記規制体が、前記容器支持場所に位置する前記収納容器の前記当接面に対して、前記搬送装置による前記収納容器の搬送方向の下流側から当接するように設けられている容器搬送設備。
【発明の詳細な説明】
【技術分野】
【０００１】
本発明は、参拝対象物を収納するための収納容器、及び当該収納容器を搬送する容器搬送設備に関する。
【背景技術】
【０００２】
参拝対象物を収納するための収納容器の一例が、特開２００２−２３５４５９号公報（特許文献１）に記載されている。特許文献１の図７、図８に示されるように、特許文献１の収納容器（２）は骨壺（１）を収納するように構成されており、収納容器（２）の外側面には、個人の名前等が記載された銘盤（５）を係止するための係合受け部（５ａ）が設けられている。そして、特許文献１には、このような収納容器（２）を収納装置（Ａ）に複数保管し、参拝者が参拝に訪れた際に、搬送装置（Ｃ）によって所望の収納容器（２）を収納装置（Ａ）から取り出して参拝者が待つ参拝部（Ｂ）に搬送する納骨システムが記載されている。特許文献１の段落００３２に記載されているように、参拝者は、参拝部（Ｂ）に搬送された収納容器（２）の銘盤（５）を見ながら参拝を行うことができる。
【先行技術文献】
【特許文献】
【０００３】
【特許文献１】特開２００２−２３５４５９号公報（段落００１９、００３２、図７、図８等）
【発明の概要】
【発明が解決しようとする課題】
【０００４】
上記特許文献１の納骨システムでの収納容器の使用形態のように、参拝対象物を収納するための収納容器の使用形態の一例として、通常は他の収納容器と共に保管場所に保管しておき、必要な場合に当該保管場所から取り出して参拝等のために利用する形態がある。この場合、当然ながら、保管場所における収納容器の保管効率（収納効率）を高く確保できることが望ましい。しかしながら、特許文献１に記載の納骨システムでは、当該文献の段落００１９に記載のように、搬送装置が備えるフォークを保管場所としての収納装置に入り込ませることで、収納装置と搬送装置との間で収納容器を移載するように構成されている。そのため、各収納容器の下方にフォークを入り込ませるための空間を確保する必要があり、その分保管場所における収納容器の保管効率が低下する。
【０００５】
そこで、保管場所に対する出し入れを適切に行うことができながら、保管場所における保管効率の向上を図ることができる収納容器の実現が望まれる。
【課題を解決するための手段】
【０００６】
上記に鑑みた、参拝対象物を収納するための収納容器の特徴構成は、前記参拝対象物の収容空間を形成する箱状の本体部と、前記本体部が備える複数の側壁部の１つである対象壁部に設けられ、前記参拝対象物に関係のある情報が記された板状体を着脱自在に保持する保持部と、を備え、前記対象壁部の外面に沿う水平方向を第一水平方向とし、前記対象壁部の外面に直交する水平方向を第二水平方向として、前記保持部は、前記板状体の前記第一水平方向の両側の端部を保持する第一部分と、前記板状体を下方から支持する第二部分と、を備え、前記第二部分が、前記対象壁部の外面から前記第二水平方向に延びるように形成されて前記板状体の下面を下方から支持する支持部分と、前記対象壁部の外面との間に隙間を形成するように前記支持部分から下方に突出する突出部分と、を備えている点にある。
【０００７】
上記の特徴構成によれば、本体部が備える複数の側壁部の１つである対象壁部に、下方に開口する隙間が形成されるため、保管場所に対して収納容器を出し入れする際に、装置の係合部又は作業者の指を上記の隙間に挿入させて収納容器を水平方向に移動させることができる。よって、収納容器の底部を下方から支持するために装置の一部又は作業者の手を挿入する空間を、保管場所における収納容器の下方に確保する必要はなく、保管場所において上下方向に並ぶ収納容器の間隔を短く抑えて保管場所における収納容器の保管効率の向上を図ることができる。
そして、上記の特徴構成によれば、板状体を着脱自在に対象壁部に保持するための保持部の第二水平方向の配置領域内に、上記の隙間を形成することができる。具体的には、板状体の下面を下方から支持する支持部分から下方に突出するように、対象壁部の外面との間に上記の隙間を形成する突出部分が形成されるため、支持部分の下方の空間を有効に利用して、支持部分の第二水平方向の配置領域内に上記の隙間を形成することができる。よって、上記の隙間を設けることによって収納容器が第二水平方向に大型化することを抑制することができ、この結果、保管場所における収納容器の保管効率が上記の隙間を設けることによって低下することを抑制することができる。
以上のように、上記の特徴構成によれば、保管場所に対する出し入れを適切に行うことができながら、保管場所における保管効率の向上を図ることができる収納容器を実現することができる。
【図面の簡単な説明】
【０００８】
【図１】実施形態に係る容器搬送設備の平面図
【図２】実施形態に係る容器搬送設備の側面図
【図３】実施形態に係る参拝部の斜視図
【図４】実施形態に係る収納容器の斜視図
【図５】実施形態に係る収納容器の断面図及び正面図
【図６】その他の実施形態に係る収納容器の断面図及び正面図
【発明を実施するための形態】
【０００９】
収納容器及び容器搬送設備の実施形態について、図面を参照して説明する。ここでは、図１に示すように、容器搬送設備１が、保管棚６０（保管場所の一例）に保管された収納容器４を参拝者が参拝を行う参拝部６に搬送する参拝設備である場合を例として説明する。
【００１０】
図４及び図５に示すように、収納容器４は、参拝対象物２を収納するための容器である。参拝対象物２として、故人又はペットの遺骨（以下、単に「遺骨」という。）、故人又はペットの遺灰（以下、単に「遺灰」という。）、遺骨及び遺灰の少なくとも一方を含有する製造物（例えば、位牌等）、遺骨も遺灰も含有しない製造物（例えば、位牌等）、故人やペットの遺品を例示することができる。収納容器４には、参拝対象物２が直接或いは他の入れ物（骨壺や骨袋等）に入れられた状態で収納される。図４及び図５では、収納容器４が、参拝対象物２としての遺骨が納められた骨壺を収納する容器（厨子）である場合を例示している。
【００１１】
収納容器４は、参拝対象物２に関係のある情報が記された板状体３を着脱自在に保持する保持部２０を備えている。板状体３は、例えば石材により形成される。参拝対象物２に関係のある情報は、文字、図形、記号、又はこれらの組み合わせ等によって表され、板状体３の表面（収納容器４に取り付けられた状態で外側を向く面）に彫刻や印刷等により記される。参拝対象物２に関係のある情報として、故人の家名（名字）、故人の家紋、故人の好きな言葉を例示することができる。図４及び図５では、参拝対象物２に関係のある情報が、故人の家名である場合を例示している。
【００１２】
収納容器４は、参拝対象物２の収容空間Ｓを形成する箱状の本体部１０を備えている。本体部１０は、例えば金属材料（ステンレス等）により形成される。本体部１０は、底壁部１２、底壁部１２よりも上方に位置する頂壁部１３、及び、底壁部１２と頂壁部１３とを接続する複数の側壁部１１を備える。これらの底壁部１２、頂壁部１３、及び複数の側壁部１１は、いずれも平板状に形成されている。そして、収容空間Ｓが、これらの底壁部１２、頂壁部１３、及び複数の側壁部１１により囲まれて形成されている。本実施形態では、本体部１０は、４つの側壁部１１を有する直方体状に形成されている。そして、底壁部１２及び４つの側壁部１１によって開口部を上部に有する容器が形成され、頂壁部１３が当該開口部を開閉する蓋部として機能するように構成されている。参拝対象物２は、４つの側壁部１１の上端によって区画形成される当該開口部を通して、収容空間Ｓの内部と外部との間で出し入れされる。
【００１３】
図４及び図５に示すように、上述した保持部２０は、本体部１０が備える複数の側壁部１１の１つである対象壁部１１ａに設けられる。保持部２０は、例えば、本体部１０と同じ材料により形成される。本実施形態では、複数の側壁部１１のうちの１つのみが対象壁部１１ａとされている。具体的には、本体部１０が備える４つの側壁部１１には、上下方向に見て外縁が長方形状に形成される本体部１０の長辺に沿う２つの側壁部１１と短辺に沿う２つの側壁部１１とが含まれ、短辺に沿う２つの側壁部１１の一方が対象壁部１１ａとされている。後に別実施形態として説明する図６に示す例のように、更にもう１つの側壁部１１を対象壁部１１ａとして、当該対象壁部１１ａにも保持部２０が設けられる構成とすることも可能である。
【００１４】
ここで、図４及び図５に示すように、対象壁部１１ａの外面１９に沿う水平方向を第一水平方向Ｈ１とし、対象壁部１１ａの外面１９に直交する水平方向を第二水平方向Ｈ２とする。また、第一水平方向Ｈ１における本体部１０の中央部に向かう側を第一水平方向Ｈ１の内側とし、その反対側を第一水平方向Ｈ１の外側とする。また、第二水平方向Ｈ２における本体部１０の中央部に向かう側を第二水平方向Ｈ２の内側とし、その反対側を第二水平方向Ｈ２の外側とする。
【００１５】
保持部２０は、板状体３の第一水平方向Ｈ１の両側の端部を保持する第一部分２１と、板状体３を下方から支持する第二部分２２と、を備えている。第一部分２１や第二部分２２は、本体部１０と一体的に形成され、或いは、締結ボルト等によって本体部１０に固定される。第一部分２１は、板状体３の第一水平方向Ｈ１及び第二水平方向Ｈ２の移動を規制した状態で、板状体３の第一水平方向Ｈ１の両側の端部を、上下方向Ｚに移動自在に保持するように構成されている。具体的には、第一部分２１は、第一水平方向Ｈ１に離間して配置される一対の保持部分２１ａを備えている。そして、一対の保持部分２１ａのそれぞれが、対象壁部１１ａの外面１９から第二水平方向Ｈ２に延びるように形成されて、板状体３の第一水平方向Ｈ１の外側の端面に対向する部分と、当該部分の第二水平方向Ｈ２の外側の端部から第一水平方向Ｈ１の内側に延びるように形成されて、板状体３の表面（第二水平方向Ｈ２の外側を向く面）における第一水平方向Ｈ１の外側の縁部に対向する部分とを備えている。
【００１６】
第二部分２２は、対象壁部１１ａの外面１９から第二水平方向Ｈ２に延びるように形成されて板状体３の下面を下方から支持する支持部分２２ａを備えている。よって、板状体３は、第一水平方向Ｈ１及び第二水平方向Ｈ２の移動が第一部分２１（一対の保持部分２１ａ）によって規制されると共に下側への移動が第二部分２２（支持部分２２ａ）によって規制された状態で、保持部２０により保持される。図４に示すように、一対の保持部分２１ａに挟まれる空間に対して板状体３を上側から挿入することで、板状体３を収納容器４（本体部１０）に取り付けることができる。また、保持部２０によって保持された状態の板状体３を上側に移動させて一対の保持部分２１ａに挟まれる空間から離脱させることで、板状体３を収納容器４（本体部１０）から取り外すことができる。
【００１７】
第二部分２２は、更に、対象壁部１１ａの外面１９との間に隙間Ｇを形成するように支持部分２２ａから下方に突出する突出部分２２ｂを備えている。突出部分２２ｂの下端部は、対象壁部１１ａの下端部よりも上側に配置される。図５に示すように、突出部分２２ｂは、支持部分２２ａにおける第二水平方向Ｈ２の外側の端部から下側に延びるように形成されている。このように対象壁部１１ａに下方に開口する隙間Ｇを形成することで、保管棚６０のような収納容器４の保管場所に対して収納容器４を出し入れする際に、後述する移載装置４４のような装置の係合部又は作業者の指を隙間Ｇに挿入させて収納容器４を水平方向に移動させることが可能となっている。本実施形態では、図５に示すように、収容空間Ｓを挟んで対象壁部１１ａと対向する側壁部１１に、隙間Ｇと同様の下方に開口する隙間を当該側壁部１１の外面との間に形成するための取っ手１４（被係合部）が設けられている。この取っ手１４は、側壁部１１の外面から第二水平方向Ｈ２に延びる部分（支持部分２２ａに対応する部分）と、側壁部１１の外面との間に隙間を形成するように当該部分から下方に突出する部分（突出部分２２ｂに対応する部分）と、を備えている。
【００１８】
図５に示すように、第一部分２１の下端部は、対象壁部１１ａの下端部よりも上側に配置されている。具体的には、第一部分２１の下端部は、支持部分２２ａの上面と同じ高さに配置されている。また、第二部分２２の第一水平方向Ｈ１の両端部は、対象壁部１１ａの第一水平方向Ｈ１の両端部よりも内側に配置されている。そして、対象壁部１１ａの外面１９における第二部分２２よりも第一水平方向Ｈ１の両側（第二部分２２に対して第一水平方向Ｈ１の両外側）であって第一部分２１よりも下側の部分に、規制体３１が当接する当接面１９ａが形成されている。すなわち、対象壁部１１ａの外面１９における、第二水平方向Ｈ２に見て保持部２０及び（保持部２０に保持された状態の）板状体３のいずれとも重複しない領域に、当接面１９ａが形成されている。図５に示す例では、当接面１９ａは、第二部分２２（突出部分２２ｂ）と上下方向Ｚの配置領域が重複するように形成されている。後述するように、規制体３１は、本体部１０を下方から支持する容器支持場所Ｐに設けられて収納容器４の第二水平方向Ｈ２の移動を規制する部材である。
【００１９】
次に、本実施形態に係る容器搬送設備１の構成について説明する。図１に示すように、容器搬送設備１は、収納容器４と、収納容器４の本体部１０を下方から支持した状態で収納容器４を第二水平方向Ｈ２（ここでは、棚奥行方向Ｙ）に搬送する第一搬送装置３０と、を備えている。第一搬送装置３０は、複数の参拝部６に対応して複数設けられている。容器搬送設備１は、更に、収納容器４を保管する保管棚６０と、保管棚６０と第一搬送装置３０との間で収納容器４を搬送する第二搬送装置４０と、を備えている。第一搬送装置３０における第二搬送装置４０との間で収納容器４の移載（授受）が行われる場所を容器授受場所Ｑとすると、第一搬送装置３０は、容器授受場所Ｑと、参拝部６に対応して設定される容器支持場所Ｐとの間で、収納容器４を搬送する。すなわち、容器支持場所Ｐは、第一搬送装置３０による収納容器４の搬送経路の端部（当該搬送経路中の場所の一例）に設定されている。そして、第一搬送装置３０や第二搬送装置４０は、制御装置５からの搬送指令に応じて、参拝者が参拝しようとする参拝対象物２が収納された収納容器４を保管棚６０から容器支持場所Ｐに搬送する。また、第一搬送装置３０や第二搬送装置４０は、制御装置５からの指令に応じて、参拝が終了した収納容器４を容器支持場所Ｐから保管棚６０に搬送する。本実施形態では、第一搬送装置３０が「搬送装置」に相当する。
【００２０】
図１及び図２に示すように、保管棚６０は、収納容器４を保管する保管部６１を複数備えている。複数の保管部６１は、上下方向Ｚに複数段且つ水平方向に複数列配置されている。ここで、各段における複数の保管部６１の配列方向（水平方向）を棚横幅方向Ｘとし、棚横幅方向Ｘに直交する水平方向を棚奥行方向Ｙとする。保管棚６０は、上下方向Ｚに延びる複数の支柱６２と、棚奥行方向Ｙに延びる複数の腕木６３（板状部材）とを備えている。腕木６３のそれぞれは、棚奥行方向Ｙに並ぶ一対の支柱６２のそれぞれに固定されている。そして、図４に示すように、収納容器４は、第二水平方向Ｈ２が棚奥行方向Ｙに沿う向きで保管部６１に保管される。この際、収納容器４は、棚横幅方向Ｘに離間して配置された一対の腕木６３によって、第一水平方向Ｈ１の両端部を下方から支持される。本実施形態では、１つの保管部６１に１つの収納容器４が保管される。第二搬送装置４０は、保管棚６０の前方を棚横幅方向Ｘに沿って移動して、保管部６１に又は保管部６１から収納容器４を搬送する。図１及び図２に示す例では、２つの保管棚６０が、第二搬送装置４０の走行経路を挟んで互いに対向するように設置されている。
【００２１】
図１及び図２に示すように、第二搬送装置４０はスタッカークレーンである。具体的には、第二搬送装置４０は、床面部に設置されたレール４９に案内されて走行する走行体４１と、走行体４１に立設されたマスト４２と、マスト４２に案内されて上下方向Ｚに沿って移動する昇降体４３と、昇降体４３に支持された移載装置４４と、を備えている。移載装置４４は、収納容器４を下方から支持する支持体４４ａを備え、支持体４４ａと、保管部６１や容器授受場所Ｑ等の移載対象箇所との間で、収納容器４を移載する。具体的には、図４に示すように、移載装置４４は、第二部分２２や取っ手１４（図５参照）等の被係合部に係脱自在なフック４４ｂ（係合部の一例）を備えており、被係合部に係合した状態のフック４４ｂを移載方向（棚奥行方向Ｙ）に出退移動させることで、支持体４４ａと移載対象箇所との間で収納容器４を移載するように構成されている。このようなフック式の移載機構は公知であるため詳細な説明は省略するが、フック４４ｂは、第二部分２２（突出部分２２ｂ）と対象壁部１１ａの外面１９との間に形成される隙間Ｇや、取っ手１４と側壁部１１の外面との間に形成される隙間に対して下方から進入可能な部分を有する。そして、フック４４ｂの上下移動又は回転移動により、当該部分が上記隙間に進入してフック４４ｂが被係合部に係合した状態と、当該部分が上記隙間から離脱してフック４４ｂの被係合部に対する係合が解除された状態とが切り替えられる。なお、移載装置４４が、フック式の移載機構と協働して動作するコンベヤ機構（載置搬送機構）やクランプ機構等を備えても良い。
【００２２】
図３等に示すように、第一搬送装置３０はローラコンベヤにより構成されている。そして、図１に示すように、第一搬送装置３０は、容器授受場所Ｑと容器支持場所Ｐとの間で、棚奥行方向Ｙに沿って収納容器４を搬送する。なお、第二搬送装置４０は、第二水平方向Ｈ２が棚奥行方向Ｙに沿う向きで、容器授受場所Ｑにおいて第一搬送装置３０との間で収納容器４を移載するように構成されており、これにより、収納容器４は第一搬送装置３０によって第二水平方向Ｈ２に搬送される。
【００２３】
図３及び図５に示すように、収納容器４は、容器支持場所Ｐにおいて板状体３が参拝部６側となる向きで配置される。そして、本実施形態では、第一搬送装置３０には収納容器４を上下方向Ｚに沿う軸周りに回転させる回転機構は備えられていない。そのため、第二搬送装置４０は、対象壁部１１ａ（保持部２０）が容器支持場所Ｐ（参拝部６）側となる向きで、容器授受場所Ｑにおいて第一搬送装置３０との間で収納容器４を移載するように構成されている。一方、第二搬送装置４０には、移載装置４４を昇降体４３に対して上下方向Ｚに沿う軸周りに回転させるターンテーブル４５が設けられており、これにより、図２に示すように互いに対向する一対の保管棚６０のそれぞれにおいて保持部２０が第二搬送装置４０の走行経路側（保管部６１に対して収納容器４が出し入れされる側）となる向きで収納容器４を保管しつつ、保持部２０が容器支持場所Ｐ（参拝部６）側となる向きで第一搬送装置３０に対して収納容器４を渡すことが可能となっている。なお、第一搬送装置３０や他の箇所に収納容器４を上下方向Ｚに沿う軸周りに回転させる回転機構が設けられる場合や、一対の保管棚６０の双方において容器支持場所Ｐにおける収納容器４と同じ向きで収納容器４を保管する場合等には、第二搬送装置４０がターンテーブル４５を備えない構成とすることもできる。
【００２４】
参拝部６には、墓地の装飾（例えば、墓石を模した御影石の模様等）が表面に施されたパネル７が設けられている。このパネル７によって、参拝者が参拝を行う参拝部６と、第一搬送装置３０、第二搬送装置４０、及び保管棚６０が設置される領域とが仕切られている。図５に示すように、パネル７には、容器支持場所Ｐに配置された収納容器４に対して水平方向（第二水平方向Ｈ２）に対向する位置に開口部７ａが形成されており、この開口部７ａを通して、参拝者が容器支持場所Ｐに配置された収納容器４の板状体３を目視できるように構成されている。開口部７ａは、板状体３の形状及び寸法に合わせて形成される。例えば、板状体３の表面における保持部２０に覆われない部分の形状及び寸法に合わせて、開口部７ａが形成される構成とすることができる。また、開口部７ａはガラス板８で塞がれている。ガラス板８として、例えば、通電状態の切替によって透明状態と非透明状態とに切替可能な調光ガラスを用いることができる。また、図２及び図３に示すように、パネル７における開口部７ａよりも下側には、線香や供え物等が置かれる祭壇９が設けられている。
【００２５】
上述したように、収納容器４の対象壁部１１ａには、規制体３１が当接する当接面１９ａが形成されている。図５に示すように、規制体３１は、容器支持場所Ｐに設けられて収納容器４の第二水平方向Ｈ２の移動を規制するための部材である。規制体３１は、容器支持場所Ｐに位置する収納容器４の当接面１９ａに対して、第一搬送装置３０による収納容器４の搬送方向の下流側から当接するように設けられている。具体的には、規制体３１は、第一搬送装置３０による搬送面（本体部１０の底面が配置される位置）よりも上側に突出するように、第一搬送装置３０に固定されている。なお、ここでの収納容器４の搬送方向は、容器授受場所Ｑから容器支持場所Ｐに収納容器４を搬送する際の搬送方向であり、図２及び図５において右側に向かう方向である。このように容器支持場所Ｐにおいて規制体３１が当接面１９ａに当接する構成とすることで、第一搬送装置３０によって収納容器４を容器支持場所Ｐに搬送する場合に、容器支持場所Ｐにおける収納容器４の第二水平方向Ｈ２の位置決めを、規制体３１の当接面１９ａへの当接によって行うことができる。
【００２６】
更に、規制体３１が当接する当接面１９ａが対象壁部１１ａの外面１９に形成されるため、例えば保持部２０の外面等の、収納容器４における対象壁部１１ａの外面１９よりも第二水平方向Ｈ２の外側の部分に規制体３１が当接する場合に比べて、収納容器４の第二水平方向Ｈ２の移動が規制体３１により規制された状態で、板状体３の表面を第二水平方向Ｈ２のより外側に配置することができる（図５参照）。これにより、板状体３の表面を開口部７ａにより近づけて配置して、板状体３以外のもの（例えば、保持部２０や第一搬送装置３０等）が開口部７ａを通して参拝者の目に触れ難くすることが可能となり、この結果、開口部７ａの周辺部分と板状体３との一体感を演出して参拝者に高級感を感じさせることが可能となっている。
【００２７】
〔その他の実施形態〕
次に、収納容器及び容器搬送設備のその他の実施形態について説明する。
【００２８】
（１）上記の実施形態では、本体部１０が備える複数の側壁部１１のうちの１つのみが対象壁部１１ａとされる構成を例として説明した。しかし、そのような構成に限定されることなく、複数の側壁部１１のうちの２つ以上が対象壁部１１ａとされる構成とすることもできる。例えば、図６に示す例のように、複数の側壁部１１のうちの収容空間Ｓを挟んで対向する一対の側壁部１１の双方が対象壁部１１ａとされる構成とすることができる。この場合、保持部２０が、複数の側壁部１１のうちの収容空間Ｓを挟んで対向する一対の側壁部１１（一対の対象壁部１１ａ）の双方に設けられる。図６に示す例では、収容空間Ｓに異なる家に属する２人の故人の骨壺（参拝対象物２）が収容され、一方の故人に対応する板状体３と他方の故人に対応する板状体３とが、互いに反対側を向く対象壁部１１ａにそれぞれ取り付けられている。そして、第一搬送装置３０や第二搬送装置４０は、所望の板状体３（参拝者が参拝しようとする参拝対象物２に対応する板状体３）が参拝部６側となる向きで収納容器４が容器支持場所Ｐに配置されるように、収納容器４を保管棚６０から容器支持場所Ｐに搬送する。なお、２つの板状体３は、収容空間Ｓを挟んで対向する一対の側壁部１１の外面に分かれて（すなわち、互いに反対側を向く２つの外面に分かれて）取り付けられる。そのため、一方の板状体３が参拝者側となる向きで収納容器４を配置した場合に、他方の板状体３が参拝者の目に触れることを比較的容易に防止して、参拝者が心情的な抵抗を感じることを抑制することができる。
【００２９】
（２）上記の実施形態では、当接面１９ａが、第二部分２２（突出部分２２ｂ）と上下方向Ｚの配置領域が重複するように形成される構成を例として説明した。しかし、そのような構成に限定されることなく、当接面１９ａが、対象壁部１１ａの外面１９における第二部分２２よりも下側の部分に形成される構成とすることもできる。この場合、上記の実施形態とは異なり、当接面１９ａが、第二部分２２に対して第一水平方向Ｈ１の外側ではなく、第二部分２２と第一水平方向Ｈ１の配置領域が重複する位置に形成される構成とすることもできる。また、当接面１９ａが上記の実施形態とは異なる位置に形成される場合に、第一部分２１の下端部が対象壁部１１ａの下端部と上下方向Ｚの同じ位置に配置される構成や、第二部分２２の第一水平方向Ｈ１の両端部が、対象壁部１１ａの第一水平方向Ｈ１の両端部と第一水平方向Ｈ１の同じ位置に配置される構成とすることもできる。また、上記の実施形態では、当接面１９ａが対象壁部１１ａの外面１９に形成される構成を例として説明したが、規制体３１が当接する当接面１９ａが、対象壁部１１ａの外面１９以外の部分（例えば、保持部２０の外面）に形成される構成とすることもできる。
【００３０】
（３）上記の実施形態では、突出部分２２ｂが、支持部分２２ａにおける第二水平方向Ｈ２の外側の端部から下側に延びるように形成される構成を例として説明した。しかし、そのような構成に限定されることなく、突出部分２２ｂが、支持部分２２ａにおける第二水平方向Ｈ２の中間部分から下側に延びるように形成される構成とすることもできる。
【００３１】
（４）上記の実施形態では、１つの保管部６１に１つの収納容器４が保管される構成を例として説明した。しかし、そのような構成に限定されることなく、１つの保管部６１に、第二水平方向Ｈ２が棚奥行方向Ｙに沿う向きの複数の収納容器４（例えば、２つの収納容器４）が、棚奥行方向Ｙに並べて保管される構成とすることもできる。
【００３２】
（５）上記の実施形態では、容器支持場所Ｐが第一搬送装置３０による収納容器４の搬送経路の端部に設定される構成を例として説明した。しかし、そのような構成に限定されることなく、容器支持場所Ｐが、第一搬送装置３０による収納容器４の搬送経路の端部に代えて、或いは、第一搬送装置３０による収納容器４の搬送経路の端部に加えて、第一搬送装置３０による収納容器４の搬送経路の中間部に設定される構成とすることもできる。この場合、規制体３１は、例えば、第一搬送装置３０による搬送面よりも上側に突出して収納容器４の第二水平方向Ｈ２の移動を規制する状態と、第一搬送装置３０による搬送面よりも下側に引退して収納容器４の第二水平方向Ｈ２の移動を許容する状態とに切替可能に構成される。
【００３３】
（６）上記の実施形態では、容器支持場所Ｐが第一搬送装置３０による収納容器４の搬送経路中に設定される構成を例として説明した。しかし、そのような構成に限定されることなく、第一搬送装置３０による収納容器４の搬送経路とは異なる場所に容器支持場所Ｐを設定することもできる。例えば、上記実施形態での容器支持場所Ｐに代えて、或いは、上記実施形態での容器支持場所Ｐに加えて、保管部６１を容器支持場所Ｐとして設定することができる。この場合、当接面１９ａに当接して収納容器４の第二水平方向Ｈ２の移動を規制する規制体が、保管部６１に設けられる。例えば、規制体が、腕木６３における棚奥行方向Ｙの端部（第二搬送装置４０の走行経路側の端部）において、腕木６３の表面（本体部１０を下方から支持する面）から上方に突出するように形成される構成とすることができる。この場合、規制体は、地震等により保管棚６０が揺れた場合に収納容器４の保管部６１からの落下を防止する機能を有する。
【００３４】
（７）上記の実施形態では、第一搬送装置３０がローラコンベヤにより構成される場合を例として説明した。しかし、そのような構成に限定されることなく、第一搬送装置３０をベルトコンベヤやスラットコンベヤ等の、ローラコンベヤ以外の搬送機構により構成しても良い。
【００３５】
（８）上記の実施形態では、第二搬送装置４０がスタッカークレーンである構成を例として説明した。しかし、そのような構成に限定されることなく、第二搬送装置４０が、天井側に形成された走行レール（走行経路）に沿って走行して物品を搬送する天井搬送車や、自身の現在位置を認識しながら床面部を自律走行する物品搬送車等の、スタッカークレーン以外の搬送装置であっても良い。また、第二搬送装置４０を設けず、保管棚６０と第一搬送装置３０との間の収納容器４の搬送に人手を介在させる構成とすることもできる。この場合、保管棚６０に対する収納容器４の出し入れや第一搬送装置３０に対する収納容器４の移載が、人手により行われる。
【００３６】
（９）上記の実施形態では、収容空間Ｓを挟んで対象壁部１１ａと対向する側壁部１１に取っ手１４が設けられる構成を例として説明したが、収納容器４がこのような取っ手１４を備えない構成とすることもできる。
【００３７】
（１０）なお、上述した各実施形態で開示された構成は、矛盾が生じない限り、他の実施形態で開示された構成と組み合わせて適用すること（その他の実施形態として説明した実施形態同士の組み合わせを含む）も可能である。その他の構成に関しても、本明細書において開示された実施形態は全ての点で単なる例示に過ぎない。従って、本開示の趣旨を逸脱しない範囲内で、適宜、種々の改変を行うことが可能である。
【００３８】
〔上記実施形態の概要〕
以下、上記において説明した収納容器及び容器搬送設備の概要について説明する。
【００３９】
参拝対象物を収納するための収納容器は、前記参拝対象物の収容空間を形成する箱状の本体部と、前記本体部が備える複数の側壁部の１つである対象壁部に設けられ、前記参拝対象物に関係のある情報が記された板状体を着脱自在に保持する保持部と、を備え、前記対象壁部の外面に沿う水平方向を第一水平方向とし、前記対象壁部の外面に直交する水平方向を第二水平方向として、前記保持部は、前記板状体の前記第一水平方向の両側の端部を保持する第一部分と、前記板状体を下方から支持する第二部分と、を備え、前記第二部分が、前記対象壁部の外面から前記第二水平方向に延びるように形成されて前記板状体の下面を下方から支持する支持部分と、前記対象壁部の外面との間に隙間を形成するように前記支持部分から下方に突出する突出部分と、を備えている。
【００４０】
この構成によれば、本体部が備える複数の側壁部の１つである対象壁部に、下方に開口する隙間が形成されるため、保管場所に対して収納容器を出し入れする際に、装置の係合部又は作業者の指を上記の隙間に挿入させて収納容器を水平方向に移動させることができる。よって、収納容器の底部を下方から支持するために装置の一部又は作業者の手を挿入する空間を、保管場所における収納容器の下方に確保する必要はなく、保管場所において上下方向に並ぶ収納容器の間隔を短く抑えて保管場所における収納容器の保管効率の向上を図ることができる。
そして、上記の構成によれば、板状体を着脱自在に対象壁部に保持するための保持部の第二水平方向の配置領域内に、上記の隙間を形成することができる。具体的には、板状体の下面を下方から支持する支持部分から下方に突出するように、対象壁部の外面との間に上記の隙間を形成する突出部分が形成されるため、支持部分の下方の空間を有効に利用して、支持部分の第二水平方向の配置領域内に上記の隙間を形成することができる。よって、上記の隙間を設けることによって収納容器が第二水平方向に大型化することを抑制することができ、この結果、保管場所における収納容器の保管効率が上記の隙間を設けることによって低下することを抑制することができる。
以上のように、上記の構成によれば、保管場所に対する出し入れを適切に行うことができながら、保管場所における保管効率の向上を図ることができる収納容器を実現することができる。
【００４１】
ここで、前記保持部が、前記本体部が備える複数の側壁部のうちの、前記収容空間を挟んで対向する一対の側壁部の双方に設けられていると好適である。
【００４２】
この構成によれば、１つの収納容器に２つの板状体を取り付けることができるため、１つの収納容器に一方の板状体に関係のある参拝対象物と他方の板状体に関係のある参拝対象物とを混在させることも可能となり、収納容器における参拝対象物の収納効率を高め易くすることができる。
【００４３】
また、前記第一部分の下端部は、前記対象壁部の下端部よりも上側に配置され、前記第二部分の前記第一水平方向の両端部は、前記対象壁部の前記第一水平方向の両端部よりも内側に配置され、前記対象壁部の外面における前記第二部分よりも前記第一水平方向の両側であって前記第一部分よりも下側の部分に、前記本体部を下方から支持する容器支持場所に設けられて前記収納容器の前記第二水平方向の移動を規制する規制体が当接する当接面が形成されていると好適である。
【００４４】
この構成によれば、収納容器が容器支持場所において第二水平方向に移動することを、規制体の当接面への当接により規制することができる。
その上で、上記の構成によれば、規制体が当接する当接面が、対象壁部の外面に形成される。よって、例えば保持部の外面等の、収納容器における対象壁部の外面よりも第二水平方向の外側（収容空間から離れる側）の部分に規制体が当接する場合に比べて、収納容器の第二水平方向の移動が規制体により規制された状態で、板状体の表面を第二水平方向のより外側に配置することができる。この結果、例えば、容器支持場所を参拝者の参拝位置に設定すると共に、板状体の外形に合わせて形成された開口部を通して参拝者が板状体を視認する構成とした場合に、板状体の表面を開口部により近づけて配置して、板状体以外のものが開口部を通して参拝者の目に触れ難くすることができる。これにより、開口部の周辺部分と板状体との一体感を演出して参拝者に高級感を感じさせることが可能となる。
【００４５】
容器搬送設備は、収納容器と、前記本体部を下方から支持した状態で前記収納容器を前記第二水平方向に搬送する搬送装置と、を備え、前記容器支持場所は、前記搬送装置による前記収納容器の搬送経路中に設定され、前記規制体が、前記容器支持場所に位置する前記収納容器の前記当接面に対して、前記搬送装置による前記収納容器の搬送方向の下流側から当接するように設けられている。
【００４６】
この構成によれば、搬送装置によって収納容器を容器支持場所に搬送する場合に、容器支持場所における収納容器の第二水平方向の位置決めを、規制体の当接面への当接によって行うことができる。
その上で、上記の構成によれば、例えば、容器支持場所を参拝者の参拝位置に設定すると共に、板状体の外形に合わせて形成された開口部を通して参拝者が板状体を視認する構成とした場合に、上述したように、板状体以外のもの（ここでは例えば搬送装置）が開口部を通して参拝者の目に触れ難くすることができ、この結果、開口部の周辺部分と板状体との一体感を演出して参拝者に高級感を感じさせることが可能となる。
【００４７】
本開示に係る収納容器又は容器搬送設備は、上述した各効果のうち、少なくとも１つを奏することができれば良い。
【符号の説明】
【００４８】
１：容器搬送設備
２：参拝対象物
３：板状体
４：収納容器
１０：本体部
１１：側壁部
１１ａ：対象壁部
１９：外面
１９ａ：当接面
２０：保持部
２１：第一部分
２２：第二部分
２２ａ：支持部分
２２ｂ：突出部分
３０：第一搬送装置（搬送装置）
３１：規制体
Ｇ：隙間
Ｈ１：第一水平方向
Ｈ２：第二水平方向
Ｐ：容器支持場所
Ｓ：収容空間
【図１】
2018075304.tif 000003
【図２】
2018075304.tif 000004
【図３】
2018075304.tif 000005
【図４】
2018075304.tif 000006
【図５】
2018075304.tif 000007
【図６】
2018075304.tif 000008